(57)【要約】【課題】フロントカバーおよび内部構成品を含むフロントユニットをリアユニットから容易に取り外し可能な電気機器を提供する。【解決手段】電気機器１は、パネルに対して固定されるものであり、リアユニット２００およびフロントユニット１００を備える。リアユニット２００は、前面に開口を有するリアケース２１０を含む。フロントユニット１００は、開口を塞ぐフロントカバー１１０と、これに結合された回路基板１５０とを含む。電気機器１は、フロントユニット１００がリアユニット２００に対して係合して移動不能とされた状態と、フロントユニット１００がリアユニット２００に対して係合が解除され移動可能とされた状態とを切り替える解除部材３００をさらに備える。解除部材３００は、取付状態においてパネルの後方に位置する部分のリアケース２１０に設けられている。【選択図】図９
2014179499.tif 000002
【特許請求の範囲】
【請求項１】
パネルに対して固定される電気機器であって、
リアユニットと、
前記リアユニットに着脱可能に取り付けられるフロントユニットとを備え、
前記リアユニットは、内部に位置する収容空間に連通するように前面に開口を有しかつパネルに対して固定される箱形状のリアケースを含み、
前記フロントユニットは、前記リアユニットに取り付けられた取付状態において前記リアケースの前記開口を塞ぐフロントカバーと、前記取付状態において前記収容空間に配置される内部構成品とを含み、
前記内部構成品は、前記フロントカバーに結合され、
前記リアケースと前記フロントユニットとが係合することで前記フロントユニットが前記リアユニットに対して移動不能とされた状態と、前記リアケースと前記フロントユニットとの係合が解除されることで前記フロントユニットが前記リアユニットに対して移動可能とされた状態とを切り替える切り替え部をさらに備え、
前記切り替え部は、前記取付状態においてパネルの後方に位置する部分の前記リアケースに設けられている、電気機器。
【請求項２】
前記リアケースは、前記取付状態において前記フロントユニットを係止する第１係合部を有し、
前記フロントユニットは、前記取付状態において前記第１係合部によって係止される第２係合部を有し、
前記切り替え部は、前記リアケースに対して移動可能に組み付けられた解除部材を含み、
前記解除部材は、前記第１係合部と前記第２係合部との係合を解除するための係合解除部を有し、
前記取付状態において、前記解除部材が前記リアケースに対して移動することにより、前記係合解除部が前記第１係合部と前記第２係合部との係合を解除することで前記フロントユニットが前記リアユニットに対して移動可能になる、請求項１に記載の電気機器。
【請求項３】
前記解除部材は、前記第１係合部および前記第２係合部の係合を解除するに際して前記解除部材が前記リアケースに対して移動する移動方向とは逆方向に向けて前記解除部材を付勢する付勢部をさらに有し、
前記解除部材が、前記フロントユニットを前記リアユニットから取り外すに際して前記付勢部による付勢力に抗して移動される、請求項２に記載の電気機器。
【請求項４】
前記リアケースは、前記第１係合部と前記第２係合部との係合を解除する際に、前記係合解除部に当接する当接部をさらに有し、
前記当接部は、前記第１係合部と一体に設けられ、
前記解除部材が前記リアケースに対して移動する際に、前記係合解除部が前記当接部に当接することで前記当接部が変位し、これにより前記第１係合部が移動することで前記第１係合部と前記第２係合部との係合が解除される、請求項２または３に記載の電気機器。
【請求項５】
前記解除部材は、スライド移動可能に前記リアケースに組み付けられている、請求項２から４のいずれか１項に記載の電気機器。
【請求項６】
前記解除部材は、前記フロントユニットの前記リアユニットに対する移動方向と交差する方向を回転軸として前記リアケースに回動可能に組み付けられている、請求項２から４のいずれか１項に記載の電気機器。
【請求項７】
前記解除部材は、前記内部構成品を押動するための押動部を有し、
前記取付状態において、前記解除部材が前記リアケースに対して移動することにより、前記押動部が前記内部構成品を押動することで前記フロントユニットが前記リアユニットに対して前方に向けて移動する、請求項２から６のいずれか１項に記載の電気機器。
【請求項８】
前記内部構成品は、第１主表面、前記第１主表面の反対側に位置する第２主表面、および、前記第１主表面と前記第２主表面とを繋ぐ周端面を有する回路基板を含み、
前記回路基板は、前記取付状態において、前記周端面が前記リアケースの周側面に対向し、かつ、前記第１主表面および前記第２主表面が前記フロントユニットの前記リアユニットに対する移動方向に平行になるように配置され、
前記第２係合部と、前記押動部によって押動される被押動部とが、前記周端面に形成されている、請求項７に記載の電気機器。
【請求項９】
前記第１係合部は、前記リアケースの周側面から前記収容空間に向けて突出する突出形状を有し、
前記第２係合部は、突出形状を有する前記第１係合部の背面に当接可能な第１突き当たり面を有し、
前記押動部は、前記収容空間に向けて突出する突出形状を有し、
前記被押動部は、突出形状を有する前記押動部に当接可能な第２突き当たり面を有し、
前記取付状態において、前記第１係合部の背面と前記第２係合部の前記第１突き当たり面とが当接することで前記第１係合部と前記第２係合部とが係合し、これにより前記フロントユニットが前記リアユニットに対して取り付けられ、
前記解除部材が前記リアケースに対して移動する際に、前記押動部と前記被押動部の前記第２突き当たり面とが当接することで前記フロントユニットが前記リアユニットに対して前方に向けて移動する、請求項８に記載の電気機器。
【発明の詳細な説明】
【技術分野】
【０００１】
本発明は、電気機器に関し、特に、制御盤等のパネルに固定されるパネル固定型の電気機器に関する。
【背景技術】
【０００２】
一般に、産業用途に用いられる電気機器は、その設置に際して制御盤等のパネルに対して固定される。この場合、電気機器は、パネルに設けられた開口部に挿入されることにより、設置後の状態において、パネルよりも後方の位置にその大部分が配置されるとともに、パネルよりも前方の位置に表示部や操作部等が配置されるように構成される。
【０００３】
そのため、この種の電気機器にあっては、その筺体が、前面に開口が設けられた箱状のリアケースと、当該開口を塞ぐようにリアケースに対して着脱自在に取付けられるフロントカバーとによって構成され、このうちのリアケースの前端部分がパネルに対して固定されるように構成される場合が多い。
【０００４】
通常、リアケースの背面には、他の電気機器等と接続するための接続端子が設けられており、これによりリアユニットがリアケースおよび接続端子を含むように構成されている。上記の如くの構成の筺体とすれば、メンテナンス時等においてフロントカバーをリアユニットから取り外すことにより、当該接続端子に接続されたケーブル等を取り外すことなく、またリアユニットをパネルから取り外すことなく、電気機器の内部構成品をパネルの前面側から取り出すことができ、メンテナンス作業の容易化が図られることになる。
【０００５】
しかしながら、当該電気機器が設置される場所は、専ら工場や研究施設等が多いため、振動等によってフロントカバーがリアユニットから脱落してしまうことを防止するためには、これらが強固に取付けられることが必要になる。また、通常、設置後の状態において電気機器のパネルよりも前方に位置する部分は、可能な限りその前方への突出量が小さくなるように設計される。このため、リアユニットからフロントカバーを取り外す作業は、必ずしも容易とは言えず、相当程度の負担を強いるものとなっている。
【０００６】
フロントカバーのリアユニットに対する強固な取付けと、リアユニットからフロントカバーを取り外す作業の容易化との両立が図られた電気機器が開示された文献としては、たとえば特開２００６−１００５５４号公報（特許文献１）および特開２０００−８２３５１号公報（特許文献２）がある。
【０００７】
特許文献１に開示された電気機器にあっては、フロントカバーの周縁の所定位置に専用の取り外し工具を挿し込むための切り欠き部が設けられ、当該切り欠き部に連続するように後方に向けて突出する片持ち梁構造の突出片がフロントカバーに設けられ、当該突出片の先端に爪形状の係止突起が設けられるとともに、当該係止突起に対応した位置のリアユニットに当該係止突起に係合する係止孔が設けられている。さらに、上記切り欠き部には、前後方向に沿って移動可能となるように所定形状の解除部材が配置されており、当該解除部材が後方に移動した状態において、上記突出片が当該解除部材によって押下されるように構成されている。
【０００８】
このように構成することにより、特許文献１に開示された電気機器にあっては、解除部材を押し込むように上記切り欠き部に取り外し工具を前方から挿し込むことにより、押し込まれた解除部材によって片持ち梁構造の突出片が押下されて撓み変形し、これに伴って係止突起と係止孔との係合が解除されることになり、リアユニットからのフロントカバーの取り外しが可能となる。
【０００９】
特許文献２に開示された電気機器にあっては、フロントカバーの周縁の所定位置に取り外し工具を挿し込むための切り欠き部が設けられ、当該切り欠き部に連続するように後端に爪形状の係止突起が設けられるとともに、当該係止突起に対応した位置のリアユニットに当該係止突起を取り外し方向に付勢しつつ、当該係止突起を挟持して固定する弾性体が設けられている。
【００１０】
このように構成することにより、上記特許文献２に開示された電気機器にあっては、上記切欠き部に専用の取り外し工具を挿入し、上記弾性体を上記係止突起を挟持する方向と反対の方向に押し込むことにより、当該係止突起と弾性体の係合が解除され、弾性体の付勢力により、フロントカバーが取り外し方向に押し出される。
【先行技術文献】
【特許文献】
【００１１】
【特許文献１】特開２００６−１００５５４号公報
【特許文献２】特開２０００−８２３５１号公報
【発明の概要】
【発明が解決しようとする課題】
【００１２】
しかしながら、上記特許文献１および特許文献２に開示された電気機器にあっても、依然としてフロントカバーの取り外し作業が十分に容易化されているとは言えない状況にある。
【００１３】
特許文献１および特許文献２に開示の構成にあっては、取り外し工具を切り欠き部から挿入してリアユニットとフロントカバーとの係合を解除する際に、取り出し工具の挿入加減が分かりにくく、破損に至るまでの荷重が上記の係止突起や弾性体等の係合部に印加され、当該係合部が破損される場合がある。
【００１４】
また、特許文献１にあっては、取り外しの際に片方の手で取り出し工具を把持した状態で係止突起および係止孔の係合を解除しつつ、もう片方の手でフロントカバーを片手で手前に移動させて引き抜く作業が必要となる。しかしながら、上述のように電気機器のパネルよりも前方に位置する部分の突出量は、可能な限り小さく抑えられているため、フロントカバーを保持しにくく、相当程度の引き抜き力が必要となる場合には、引き抜き作業は困難を伴うものとなることが想定される。
【００１５】
また、特許文献２に開示の構成にあっては、取付状態において係止突起によって付勢される弾性体の付勢力は小さいため、軽量のフロントカバーしか取出すことができない。したがって、フロントカバーと内部構成品とが結合されることでフロントユニットが構成されている場合には、フロントユニットの重量の増加に伴って、当該構成を適用することが困難となる。
【００１６】
さらに、上記特許文献１に開示された電気機器においては、フロントカバーの所定位置に後方に向けて突出する片持ち梁構造の突出片を設け、当該突出片の撓みしろを十分に確保するために、必然的に電気機器のパネルよりも前方に位置する部分の突出量を大きくする構造が必要となる。同様に、上記特許文献２に開示された電気機器においても、フロントカバーを取り外し方向に押し出すために必要な弾性体の付勢力を確保するために、必然的に電気機器のパネルよりも前方に位置する部分の突出量を大きくする構造が必要となる。このように、上記特許文献１および上記特許文献２の構成では、電気機器のパネルよりも前方に位置する部分の薄型化に限界が生じてしまう問題もある。
【００１７】
したがって、本発明は、上記のような問題に鑑みてなされたものであり、本発明の目的は、フロントカバーおよび内部構成品を含むフロントユニットをリアユニットから容易に取り外し可能な電気機器を提供することにある。
【課題を解決するための手段】
【００１８】
本発明に基づく電気機器は、パネルに対して固定されるものであって、リアユニットと、上記リアユニットに着脱可能に取り付けられるフロントユニットとを備える。上記リアユニットは、内部に位置する収容空間に連通するように前面に開口を有しかつパネルに対して固定される箱形状のリアケースを含む。上記フロントユニットは、上記リアユニットに取り付けられた取付状態において上記リアケースの上記開口を塞ぐフロントカバーと、上記取付状態において上記収容空間に配置される内部構成品とを含む。上記内部構成品は、上記フロントカバーに結合される。上記本発明に基づく電気機器は、上記リアケースと上記フロントユニットとが係合することで上記フロントユニットが上記リアユニットに対して移動不能とされた状態と、上記リアケースと上記フロントユニットとの係合が解除されることで上記フロントユニットが上記リアユニットに対して移動可能とされた状態とを切り替える切り替え部をさらに備える。上記切り替え部は、上記取付状態においてパネルの後方に位置する部分の上記リアケースに設けられている。
【００１９】
上記本発明に基づく電気機器にあっては、上記リアケースは、上記取付状態において上記フロントユニットを係止する第１係合部を有することが好ましく、上記フロントユニットは、上記取付状態において上記第１係合部によって係止される第２係合部を有することが好ましい。この場合には、上記切り替え部は、上記リアケースに対して移動可能に組み付けられた解除部材を含むことが好ましく、上記解除部材は、上記第１係合部と上記第２係合部との係合を解除するための係合解除部を有することが好ましい。さらに、この場合には、上記取付状態において、上記解除部材が上記リアケースに対して移動することにより、上記係合解除部が上記第１係合部と上記第２係合部との係合を解除することで上記フロントユニットが上記リアユニットに対して移動可能になることが好ましい。
【００２０】
上記本発明に基づく電気機器にあっては、上記解除部材は、上記第１係合部および上記第２係合部の係合を解除するに際して上記解除部材が上記リアケースに対して移動する移動方向とは逆方向に向けて上記解除部材を付勢する付勢部をさらに有することが好ましく、この場合には、上記解除部材が、上記フロントユニットを上記リアユニットから取り外すに際して上記付勢部による付勢力に抗して移動されることが好ましい。
【００２１】
上記本発明に基づく電気機器にあっては、リアケースは、上記第１係合部と上記第２係合部との係合を解除する際に、上記係合解除部に当接する当接部をさらに有することが好ましく、また、上記当接部は、上記第１係合部と一体に設けられることが好ましい。この場合には、上記解除部材が上記リアケースに対して移動する際に、上記係合解除部が上記当接部に当接することで上記当接部が変位し、これにより上記第１係合部が移動することで上記第１係合部と上記第２係合部との係合が解除されることが好ましい。
【００２２】
上記本発明に基づく電気機器にあっては、上記解除部材は、スライド移動可能に上記リアケースに組み付けられていることが好ましい。
【００２３】
上記本発明に基づく電気機器にあっては、上記解除部材は、上記フロントユニットの上記リアユニットに対する移動方向と交差する方向を回転軸として上記リアケースに回動可能に組み付けられていることが好ましい。
【００２４】
上記本発明に基づく電気機器にあっては、上記解除部材は、上記内部構成品を押動するための押動部を有することが好ましく、上記取付状態において、上記解除部材が上記リアケースに対して移動することにより、上記押動部が上記内部構成品を押動することで上記フロントユニットが上記リアユニットに対して前方に向けて移動することが好ましい。
【００２５】
上記本発明に基づく電気機器にあっては、上記内部構成品は、第１主表面、上記第１主表面の反対側に位置する第２主表面、および、上記第１主表面と上記第２主表面とを繋ぐ周端面を有する回路基板を含むことが好ましい。また、上記回路基板は、上記取付状態において、上記周端面が上記リアケースの周側面に対向し、かつ、上記第１主表面および上記第２主表面が上記フロントユニットの上記リアユニットに対する移動方向に平行になるように配置されることが好ましく、この場合には、上記第２係合部と、上記押動部によって押動される被押動部とが、上記周端面に形成されていることが好ましい。
【００２６】
上記本発明に基づく電気機器にあっては、上記第１係合部は、上記リアケースの周側面から上記収容空間に向けて突出する突出形状を有することが好ましく、上記第２係合部は、突出形状を有する上記第１係合部の背面に当接可能な第１突き当たり面を有することが好ましい。この場合には、上記押動部は、上記収容空間に向けて突出する突出形状を有することが好ましく、上記被押動部は、突出形状を有する上記押動部に当接可能な第２突き当たり面を有することが好ましい。さらに、この場合には、上記取付状態において、上記第１係合部の背面と上記第２係合部の上記第１突き当たり面とが当接することで上記第１係合部と上記第２係合部とが係合し、これにより上記フロントユニットが上記リアユニットに対して取り付けられることが好ましく、上記解除部材が上記リアケースに対して移動する際に、上記押動部と上記被押動部の上記第２突き当たり面とが当接することで上記フロントユニットが上記リアユニットに対して前方に向けて移動することが好ましい。
【発明の効果】
【００２７】
本発明によれば、フロントカバーおよび内部構成品を含むフロントユニットをリアユニットから容易に取り外し可能な電気機器を提供することができる。
【図面の簡単な説明】
【００２８】
【図１】実施の形態１に係る電気機器のパネルへの設置状態を示す右前方から見た概略斜視図である。
【図２】実施の形態１に係る電気機器の右前方から見た斜視図である。
【図３】実施の形態１に係る電気機器の取付状態を示す正面図である。
【図４】実施の形態１に係る電気機器の取付状態を示す背面図である。
【図５】実施の形態１に係る電気機器の取付状態を示す平面図である。
【図６】実施の形態１に係る電気機器の取付状態を示す底面図である。
【図７】実施の形態１に係る電気機器の取付状態を示す左側面図である。
【図８】実施の形態１に係る電気機器の取付状態を示す右側面図である。
【図９】実施の形態１に係る電気機器の分解斜視図である。
【図１０】実施の形態１に係る電気機器の上面の右側に位置する舌片部および上面の右側に位置する舌片部の前方から見た斜視図および後方から見た斜視図である。
【図１１】実施の形態１に係る電気機器の解除部材の右前方から見た斜視図および正面図である。
【図１２】実施の形態１に係る電気機器においてフロントユニットをリアユニットに着脱する様子を示す分解斜視図である。
【図１３】実施の形態１に係る電気機器においてフロントユニットをリアユニットに挿入する際の状態を示す要部断面図である。
【図１４】実施の形態１に係る電気機器においてフロントユニットをリアユニットに挿入する際の状態を示す要部断面図である。
【図１５】実施の形態１に係る電気機器においてフロントユニットがリアユニットに取り付けられた状態を示す要部断面図である。
【図１６】実施の形態１に係る電気機器においてリアユニットからフロントユニットを取り外す際の第１段階の状態を示す右前方から見た斜視図である。
【図１７】実施の形態１に係る電気機器においてリアユニットからフロントユニットを取り外す際の第１段階の状態を示す平面図である。
【図１８】実施の形態１に係る電気機器においてリアユニットからフロントユニットを取り外す際の第１段階の状態を示す要部断面図である。
【図１９】実施の形態１に係るにおいてリアユニットからフロントユニットを取り外す際の第２段階の状態を示す右前方から見た斜視図である。
【図２０】実施の形態１に係る電気機器においてリアユニットからフロントユニットを取り外す際の第２段階の状態を示す平面図である。
【図２１】実施の形態１に係る電気機器においてリアユニットからフロントユニットを取り外す際の第２段階の状態を示す要部断面図である。
【図２２】実施の形態２に係る電気機器の右前方から見た概略斜視図である。
【図２３】実施の形態２に係る電気機器の右後方から見た概略斜視図である。
【図２４】図２２に示すＸＸＩＶ−ＸＸＩＶ線に沿った断面図である。
【図２５】図２２に示すＸＸＶ−ＸＸＶ線に沿った断面図である。
【図２６】図２２に示すＸＸＶＩ−ＸＸＶＩ線に沿った断面図である。
【図２７】実施の形態２に係る電気機器においてリアユニットからフロントユニットを取り外す際の第１段階の状態を示す右前方から見た概略斜視図である。
【図２８】図２７に示すＸＸＶＩＩＩ−ＸＸＶＩＩＩ線に沿った断面図である。
【図２９】図２７に示すＸＸＩＸ−ＸＸＩＸ線に沿った断面図である。
【図３０】実施の形態２に係るにおいてリアユニットからフロントユニットを取り外す際の第２段階の状態を示す右前方から見た概略斜視図である。
【図３１】図３０に示すＸＸＸＩ−ＸＸＸＩ線に沿った断面図である。
【図３２】図３０に示すＸＸＸＩＩ−ＸＸＸＩＩ線に沿った断面図である。
【発明を実施するための形態】
【００２９】
以下、本発明の実施の形態について、図を参照して詳細に説明する。なお、以下に示す実施の形態においては、同一のまたは共通する部分について図中同一の符号を付し、その説明は繰り返さない。また、以下に示す実施の形態は、本発明が適用された電気機器として、各種加熱装置の熱源を自動的に所定の温度にコントロールするいわゆる電子温度調節器を例示するものである。
【００３０】
（実施の形態１）
図１は、本実施の形態に係る電気機器のパネルへの設置状態を示す右前方から見た概略斜視図である。図２は、本実施の形態に係る電気機器の右前方から見た斜視図である。図３ないし図８は、それぞれ、当該電気機器の取付状態を示す正面図、背面図、平面図、底面図、左側面図、右側面図である。さらに、図９は、本実施の形態に係る電気機器の分解斜視図である。図１ないし図９を参照して、本実施の形態に係る電気機器１について説明する。
【００３１】
図１ないし図９に示すように、電子温度調節器である電気機器１は、フロントユニット１００と、リアユニット２００と、切り替え部としての舌片部２２０および解除部材３００とを備えている。電気機器１は、フロントユニット１００がリアユニット２００に取付けられた取付状態において、全体として略直方体形状を有している。
【００３２】
図１に示すように、電気機器１は、制御盤等のパネル５００に設けられた開口部に挿入された状態でパネル５００に対して固定されることで設置される。より具体的には、フロントユニット１００がリアユニット２００に取り付けられた取付状態において、リアユニット２００に含まれるリアケース２１０の前端に設けられた開口枠部２１１がパネル５００の前方に位置するとともに、リアユニット２００の残る部分がパネル５００の後方に位置するように、電気機器１が配置される。この状態において、パネル５００の後方から図示しない固定具を用いてパネル５００が上記開口枠部２１１との間に挟まれることにより、リアユニット２００がパネル５００に対して固定され、これにより、電気機器１の全体がパネル５００に対して固定される。この際、切り替え部としての舌片部２２０および解除部材３００は、取付状態においてパネル５００の後方に位置する部分のリアケース２１０に配置された状態となる。
【００３３】
図１ないし図９に示すように、フロントユニット１００は、フロントカバー１１０と、透明カバー１２０と、表示部１３０と、操作部１４０と、内部構成品としての複数の回路基板１５０（図９参照）とを主として含んでいる。リアユニット２００は、リアケース２１０と、複数の接続端子２１５（図４、図７および図８参照）とを主として含んでいる。
【００３４】
図９に示すように、フロントカバー１１０は、たとえば樹脂製の射出成形品からなり、正面視略矩形状の平板状の部材から成るカバー部１１１と、当該カバー部１１１の背面側においてカバー部１１１から後方に向けて突設された略筒状の回路基板保持部１１２とを有している。ここで、フロントカバー１１０を正面視した状態において、カバー部１１１の外形は、回路基板保持部１１２の外形よりも僅かに大きく構成されており、これによりカバー部１１１の背面の周縁には、段差面１１３が形成されている。
【００３５】
カバー部１１１の前面には、上述した表示部１３０および操作部１４０が設けられており、当該カバー部１１１の前面のうち、操作部１４０が位置する部分を除く部分は、上述した透明カバー１２０によって覆われている。透明カバー１２０は、主として表示部１３０を保護する目的で設けられたものである。
【００３６】
表示部１３０は、電子温度調節器である電気機器１の動作状況や設定状況等の各種の情報を表示するための部位であり、たとえばＬＣＤ（Liquid Crystal Display）等によって構成される。また、操作部１４０は、電子温度調節器である電気機器１の動作の切り替えや各種の設定等を行なうための部位であり、たとえば押し釦等によって構成される。
【００３７】
回路基板保持部１１２は、上述した複数の回路基板１５０を保持するための部位であり、その所定位置に切欠きや孔等が設けられることにより、これら切欠きや孔等によって上述した複数の回路基板１５０を保持する。回路基板１５０は、第１主面１５０ａ、第１主面１５０ａの反対側に位置する第２主面１５０ｂ、および、第１主面１５０ａと第２主面１５０ｂとを繋ぐ周端面１５０ｃと有する。
【００３８】
本実施の形態においては、３枚の回路基板１５０が、それぞれ起立した姿勢で回路基板保持部１１２によって保持される。すなわち、回路基板１５０は、その周端面がリアケース２１０の内周側面に対向し、かつ、第１主面１５０ａおよび第２主面１５０ｂが後述するフロントユニット１００のリアユニット２００に対する移動方向（図１２矢印Ｂ２参照）に平行になるように回路基板保持部１１２によって保持される。これにより、これら３枚の回路基板１５０は、フロントカバー１１０に結合されている。
【００３９】
これら３枚の回路基板１５０のうち、両端に位置する２枚の回路基板１５０には、所定の位置に凹部１５１，１５３が設けられている。具体的には、当該回路基板１５０の周端面のうち上面および底面に凹部１５１，１５３が設けられている。また、凹部１５１，１５３の間には、後述する解除部材３００に押動される被押動部１５２が設けられている。これら両端に位置する２枚の回路基板１５０の周端面１５０ｃのうちリアケース２１０の上面および底面に対向する面は、取付状態において後述する舌片部２２０に対向するように配置される。
【００４０】
ここで、凹部１５１は、第２係合部に相当する部位であり、取付状態において、後述する第１係合部としての係合部２２２と係合する。凹部１５１は、被押動部１５２との境界に位置する周端面において、係合部２２２の背面に当接可能な第１突き当たり面としての係合面１５１ａを有する。また、被押動部１５２は、後述する押動部３３０に当接可能な第２突き当たり面としての被押動面１５２ｂを有する。
【００４１】
複数の回路基板１５０は、電子温度調節器である電気機器１に具備される各種の回路が形成されたものであり、その後端部寄りの第１主面１５０ａまたは第２主面１５０ｂには、それぞれ複数の接続電極が設けられている。
【００４２】
図９に示すように、リアケース２１０は、たとえば樹脂製の射出成形品からなり、内部に位置する収容空間２１４に連通するように前面に開口が設けられた箱形状を有している。図４ないし図９に示すように、リアケース２１０は、リアケース２１０の前端に位置することで上述した開口を規定する開口枠部２１１と、当該開口枠部２１１の後方側において開口枠部２１１から後方に向けて突設された本体部２１２とを有している。ここで、リアケース２１０を正面視した状態において、開口枠部２１１の外形は、本体部２１２の外形よりも僅かに大きく構成されており、これによりリアケース２１０の内周側面のうち、開口枠部２１１と本体部２１２との間に位置する部分には、段差面２１３が形成されている。
【００４３】
リアケース２１０に設けられた収容空間２１４は、フロントユニット１００を収容するための部位である。フロントユニット１００がリアユニット２００に取り付けられた取付状態においては、上記収容空間２１４のうち、開口枠部２１１によって規定される空間において、主としてフロントカバー１１０のカバー部１１１および透明カバー１２０が収容され、本体部２１２によって規定される空間において、主としてフロントカバー１１０の回路基板保持部１１２および複数の回路基板１５０が収容される。
【００４４】
図４、図７および図８に示すように、リアケース２１０の背面（背板の後方側の面）に設けられた複数の接続端子２１５は、電子温度調節器である電気機器１と外部の電気機器（たとえば加熱装置等）との間の電気的な接続を行なうためのケーブル等が接続される部位であり、たとえばネジ留め構造を有する接続金具等によって構成される。複数の接続端子２１５の各々は、リアケース２１０の内部に設置されたアタッチメント（不図示）の接続電極にそれぞれ電気的に接続されている。なお、当該アタッチメントは、上述した複数の回路基板１５０の後端部が挿し込み可能なものであり、リアケース２１０の背板の前方側の面（すなわち収容空間２１４に面する方の主面）上に設置されている。
【００４５】
図１、図２、図５、図６および図９に示すように、リアケース２１０の周側面のうち上面および底面には、一対の舌片部２２０、一対の組み付け孔２３０、載置部２４０および一対の開口部２５０が設けられている。一対の舌片部２２０は、フロントユニット１００の挿入方向（図１２矢印Ｂ１参照）に交差する方向に並んで配置されており、取付状態において回路基板１５０に対向する。一対の舌片部２２０の間には、載置部２４０が設けられている。
【００４６】
一対の組み付け孔２３０は、後述する解除部材３００を挿入してスライド可能に固定するための部位であり、フロントユニット１００のリアケース２１０に対する移動方向（図１２に示す矢印Ｂ１またはＢ２方向）に沿って延在する。これにより、組み付け孔２３０は、解除部材３００が移動する際に、その移動方向を前後方向に案内するための機能を有する。
【００４７】
載置部２４０は、解除部材３００を載置するための部位である。電気機器１は、制御盤等のパネルに設置される際に、複数個並んで設置されることがあり、作業スペース確保の観点、省スペース化の観点より、リアケース２１０と解除部材３００とは、面一に構成されることが好ましい。このため、載置部２４０は、解除部材３００の厚み分だけリアケース２１０の最外表面から窪んで構成されている。これにより、載置部２４０の周縁には、段差面２４１（図９参照）が形成されている。
【００４８】
一対の開口部２５０は、解除部材３００の押動部３３０をその組付け時に受け入れる部位であり、リアケース２１０の厚み方向に貫通している。開口部２５０は、舌片部２２０の後方に位置する。また、開口部２５０は、取付状態において回路基板１５０の上方に位置するとともに被押動部１５２よりも後方に位置する。
【００４９】
図１、図２、図５、図６および図９に示すように、解除部材３００は、たとえば射出成形品からなり、本体部３１０、付勢部３２０、組み付け部３５０（図９、図１１参照）を有する。解除部材３００は、電気機器１がパネル５００に固定された状態において、当該パネル５００よりも後方に位置する部分のリアケース２１０の周側面に取り付けられる（図１参照）。
【００５０】
本体部３１０は、平面視した場合に略矩形形状の平板部材にて形成されている。本体部３１０は、係合解除部３４０および押動部３３０を有する。なお、係合解除部３４０、押動部３３０の詳細については、後述することとする。
【００５１】
付勢部３２０は、本体部３１０の後方に位置し、後方に向かうにつれて外側へ湾曲する略円弧状に形成されている。これにより、付勢部３２０は、撓み変形が可能となり、解除部材３００がリアケース２１０に対して組み付け孔２３０の延在方向に沿って前方へ移動する際に、解除部材３００の移動方向とは逆方向である後方に向けて解除部材３００を付勢する。
【００５２】
組み付け部３５０は、本体部３１０の裏面側であってリアケース２１０の組み付け孔２３０に対応する位置に設けられている。組み付け部３５０の先端部は、組み付け孔２３０よりも幅広に構成されており、組み付け孔２３０を押し広げて組み付け孔２３０に挿入される。組み付け孔２３０に挿入された組み付け部３５０は、リアケース２１０の内周側面に摺動可能に当接し、これにより、解除部材３００が、リアケース２１０に対してスライド移動可能に組み付けられる。
【００５３】
なお、本実施の形態においては、部品点数を削減し、製造コストを削減するために、本体部３１０と付勢部３２０が同一の樹脂からなる射出成形品にて一体に構成される場合を例示して説明したが、これに限定されず、付勢部３２０がバネ等の弾性体によって別体に構成されていてもよい。また、付勢部３２０は、上述のような略円弧形状に限定されず、Ｓ字状の形状等の付勢力をもつ構成に適宜変更することができる。
【００５４】
ここで、リアケース２１０に設けられた舌片部２２０は、解除部材３００とともに、リアケース２１０とフロントユニット１００とが係合することでフロントユニット１００がリアケース２１０に対して移動不能とされた状態と、リアケース２１０とフロントユニット１００との係合が解除部材３００によって解除されることでフロントユニット１００がリアユニット２００に対して移動可能とされた状態とを切り替える切り替え部として機能する。
【００５５】
フロントユニット１００の取付状態においては、舌片部２２０に設けられた係合部２２２（図１０参照）が、上述した回路基板１５０に設けられた凹部１５１に係合し、回路基板１５０を係止する。これにより、フロントユニット１００がリアユニット２００に対して移動不能とされた状態が維持される。一方、取り外し状態においては、舌片部２２０に設けられた係合部２２２と凹部１５１との係合が解除される。これにより、フロントユニット１００がリアユニット２００に対して移動可能とされた状態となる。
【００５６】
図１０は、本実施の形態に係る電気機器の前方から見て上面の左側に位置する舌片部および前方から見て上面の右側に位置する舌片部の前方から見た斜視図および後方から見た斜視図である。図１０（Ａ）は、前方から見て上面の左側に位置する舌片部２２０の前方から見た斜視図である。図１０（Ｂ）は、前方から見て上面の右側に位置する舌片部２２０の前方から見た斜視図である。図１０（Ｃ）は、前方から見て上面の左側に位置する舌片部２２０の後方から見た斜視図である。図１０（Ｄ）は、前方から見て上面の右側に位置する舌片部２２０の後方から見た斜視図である。図１０（Ａ）ないし図１０（Ｄ）を参照して、舌片部２２０の構成について説明する。
【００５７】
図１０（Ａ）ないし図１０（Ｄ）に示すように、電気機器１の周側面の一部を構成する舌片部２２０は、アーム部２２１と、第１係合部としての係合部２２２と、当接部としての突出部２２３とを含み、これらによって一体に構成されている。アーム部２２１は、その後方の一部が固定された片持ち梁構造を有する。これにより、アーム部２２１は、撓み変形が可能となる。
【００５８】
係合部２２２は、アーム部２２１の前方に位置する自由端から収容空間２１４に向けて突出する突出形状を有する。係合部２２２は、その前面２２２ａが前方に向かうにつれて舌片部２２０の設けられたリアケース２１０の外周側面に向けて近づくように傾斜する傾斜面であり、その背面２２２ｂが上下方向に平行な平面である爪形状を有する。これにより、係合部２２２は、後述するフロントユニット１００の取付けの際の動作において回路基板１５０を受け入れるとともに回路基板１５０と係合する機能を有することになる。
【００５９】
突出部２２３は、係合部２２２の側面から延設される部位である。突出部２２３は、その前面２２３ａに、前方に向かうにつれて舌片部２２０の設けられたリアケース２１０の外周側面に向けて近づくように傾斜する傾斜面を有する。また、突出部２２３は、その背面２２３ｂに、後方に向かうにつれて舌片部２２０の設けられたリアケース２１０の外周側面に近づくように傾斜する傾斜面を有する。これにより、突出部２２３は、後述するフロントユニット１００の取り外しの際の動作において上述の係合を解除する機能を有することになる。
【００６０】
一方、解除部材３００は、リアユニット２００とフロントユニット１００との係合状態（すなわち、舌片部２２０に設けられた係合部２２２と回路基板１５０の凹部１５１との係合）を解除するための部位を有する。また、解除部材３００は、フロントユニット１００の取り外しに際する動作においてフロントユニット１００を前方へ押動する部位も有する。
【００６１】
図１１は、本実施の形態に係る電気機器の解除部材の右前方から見た斜視図および正面図である。図１１（Ａ）は、解除部材３００の右前方から見た斜視図である。図１１（Ｂ）は、解除部材３００の右前方から見た正面図である。図１１（Ａ）および図１１（Ｂ）を参照して、解除部材３００の構成について説明する。
【００６２】
図１１（Ａ）および図１１（Ｂ）に示すように、解除部材３００の本体部３１０には、係合解除部３４０、押動部３３０が形成されている。係合解除部３４０は、本体部３１０の前方における左右両端に位置し、後方に向かうにつれて上述の裏面からその反対側の表面へ傾斜する傾斜面を有する。当該傾斜面は、上述した突出部２２３の背面２２３ｂの傾斜面に対応する形状を有する。また、係合解除部３４０は、当該傾斜面の一部が、背面２２３ｂに対向し、かつ、突出部２２３の後方に位置するように配置されている。これにより、係合解除部３４０は、後述するフロントユニット１００の取り外しの際の動作において上述の係合を解除する機能を有することになる。
【００６３】
押動部３３０は、本体部３１０の裏面における左右両端から、それぞれ外側へ向けて突出する部位である。押動部３３０は、略直方体形状を有し、組付け状態において上述した開口部２５０に挿入される。これにより、開口部２５０に挿入された押動部３３０は、収容空間２１４に向けて突出する突出形状を有することになる（図１５参照）。
【００６４】
押動部３３０は、フロントユニット１００の取付状態において、収容空間２１４内に配置された回路基板１５０の被押動部１５２の後方において被押動部１５２に対向する（図１５参照）。これにより、押動部３３０は、フロントユニット１００の取り外しの際の動作において上述の被押動部１５２を押動する機能を有することになる。
【００６５】
以下、上述した回路基板１５０、リアユニット２００の舌片部２２０および解除部材３００の状態に着目し、フロントユニット１００をリアユニット２００に着脱する際の動作について説明する。なお、取付けおよび取り外しに寄与する回路基板１５０、リアユニット２００の舌片部２２０および解除部材３００の構成は、電気機器１の上面側と底面側とにおいて同一の構造であるため、特に、上面側に着目して、その動作について説明する。また、取り外しの際には、作業者は、上面側に位置する解除部材３００を片手で、底面側に位置する解除部材３００をもう一方の片手で、同時に移動させるものとする。なお、取り外しの際の作業者の動作はこれに限定されず、片手のみで上面側および底面側に位置する解除部材３００を同時に移動させてもよい。
【００６６】
図１２は、本実施の形態に係る電気機器においてフロントユニットをリアユニットに着脱する様子を示す分解斜視図である。図１３および図１４は、本実施の形態に係る電気機器においてフロントユニットをリアユニットに挿入する際の状態を示す要部断面図である。図１５は、本実施の形態に係る電気機器においてフロントユニットがリアユニットに取り付けられた状態を示す要部断面図である。また、図１３ないし図１５は、図５に示すＸＩＩＩ−ＸＩＩＩ線に沿った断面図に対応した断面図である。図１２ないし図１５を参照して、フロントユニット１００をリアユニット２００に取付ける際の動作について説明する。
【００６７】
まず、図１２に示すように、フロントユニット１００をリアユニット２００に挿入する際においては、回路基板保持部１１２によって保持された回路基板１５０側からフロントユニット１００が、図中に示すＢ１方向に沿って挿入される。ここで、回路基板１５０は、取付状態において両端の回路基板１５０が舌片部２２０に対向するように予め所定の位置に保持されている。
【００６８】
次に、図１３に示すように、フロントユニット１００の挿入途中においては、回路基板１５０の後方に位置する凹部１５３の一部が舌片部２２０の係合部２２２を通過する。その後、回路基板１５０の被押動部１５２の後方上端部が、係合部２２２の前面２２２ａの傾斜面に接触する。フロントユニット１００を後方に向けてさらに挿入すると、被押動部１５２の後方上端部は、係合部２２２が外側へ退避するように、アーム部２２１を撓み変形させる。これにより、回路基板１５０をさらに後方へ挿入することが可能となる。
【００６９】
続いて、図１４に示すように、係合部２２２の前面２２２ａの傾斜面が回路基板１５０の被押動部１５２を乗り越えると、係合部２２２の下面が被押動部１５２と接触する。
【００７０】
係合部２２２の下面が被押動部１５２と接触した状態で、フロントユニット１００をさらに後方へ挿入することにより、図１５に示すように、係合部２２２が回路基板１５０の凹部１５１に嵌り込む。この際、撓み変形したアーム部２２１が元の状態に復帰することで、係合部２２２の背面２２２ｂと第１突き当たり面としての係合面１５１ａとが当接する。これにより、第１係合部としての係合部２２２と第２係合部としての凹部１５１が係合した状態となる。この結果、回路基板１５０とリアユニット２００との強固な固定が維持され、フロントユニット１００がリアユニット２００に対して取付けられる。
【００７１】
図１６ないし図１８は、本実施の形態に係る電気機器においてリアユニットからフロントユニットを取り外す際の第１段階の状態を示す斜視図、平面図および要部断面図である。図１９ないし図２１は、本実施の形態に係る電気機器においてリアユニットからフロントユニットを取り外す際の第２段階の状態を示す斜視図、平面図および要部断面図である。図１６ないし図２１を参照して、フロントユニット１００をリアユニット２００から取り外す際の動作について説明する。なお、取り外す際の状態を便宜上、第１段階および第２段階に分けて説明するが、第１段階および第２段階の状態は、一連の取り外し動作に含まれるものである。また、図１８および図２１は、図５に示すＸＩＩＩ−ＸＩＩＩ線に沿った断面図に対応した断面図である。
【００７２】
図１６に示すように、リアユニット２００からフロントユニット１００を取り外す際の第１段階にあっては、解除部材３００を前方に向けて移動させることにより、舌片部２２０がリアケース２１０の外側に向かって移動する。
【００７３】
図１７に示すように、解除部材３００は、載置部２４０に設けられた組み付け孔２３０に案内されて移動することにより、前方に移動することができる。解除部材３００が移動すると、解除部材３００の後部に位置する付勢部３２０が弾性的に伸長する。これにより解除部材３００は、付勢部３２０によって移動方向と逆方向に付勢される。すなわち、解除部材３００は、フロントユニット１００をリアユニット２００から取り外すに際して付勢部３２０による付勢力に抗して移動される。
【００７４】
図１８に示すように、舌片部２２０が外側に移動する際にあっては、係合解除部３４０が、突出部２２３の背面２２３ｂの傾斜面に接触しながら前方に移動することにより、解除部材３００が突出部２２３を外側に向けて移動させる。これにより、当接部としての突出部２２３が変位し、これに連動して、係合部２２２がリアケース２１０の外側へ退避するように、アーム部２２１が撓み変形する。この結果、係合部２２２が、回路基板１５０の凹部１５１の上方に移動することとなり、係合部２２２と回路基板１５０の係合が解除される。当該係合が解除されることにより、フロントユニット１００がリアユニット２００に対して移動可能になる。また、当該係合の解除と同時に、押動部３３０の前面が被押動部１５２の被押動面１５２ｂに当接する。
【００７５】
この状態においては、図１７に示すように、解除部材３００の組み付け部３５０は、組み付け孔２３０の略中央近傍に位置しているため、解除部材３００は、さらに前方側へ移動することができる。
【００７６】
図１９および図２０に示すように、解除部材３００がさらに前方に向かって移動した第２段階の状態にあっては、フロントユニット１００がリアユニット２００から前方に突出する。フロントユニット１００がリアユニット２００から突出する際にあっては、図２１に示すように、解除部材３００の押動部３３０が、被押動部１５２を前方へ向けて押動する。これにより、回路基板１５０とこれに結合されるフロントカバー１１０とが一体となって、リアユニット２００から前方へ突出することとなる。解除部材３００の移動の際にあっては、組み付け孔によって解除部材の可動範囲を制限されるため、係合部に破損に至るまでの荷重が印加されることを抑制することができる。
【００７７】
なお、フロントユニット１００がリアユニット２００から突出した後に作業者が解除部材３００を手放すことにより、解除部材３００は、付勢部３２０の付勢力に従って後方へ移動する。これにより、解除部材３００は、解除前の位置に移動する。このため、取出し後のフロントユニット１００を再度、挿入する際に、解除部材３００の位置を戻す手間が省略できる。
【００７８】
以上のような構成とすることにより、本実施の形態に係る電気機器１にあっては、取り外し工具を用いて係合状態を解除する場合に、取り外し工具の挿入加減を制御することが困難であることと対比して、本実施の形態に係る電気機器１にあっては、切り替え部を備えた構成とすることにより、係合部に破損に至るまでの荷重が印加されることを抑制することができる。この結果、取り外し作業による破損を抑制することができる。
【００７９】
また、切り替え部によってフロントユニット１００のリアユニット２００に対する移動の可否を切り替えることにより、容易にリアケース２１０とフロントユニット１００に具備される内部構成品との係合を解除できる。これにより、専用の取り外し工具を把持しながら係合を解除する必要がなくなり、メンテナンス効率が格段に向上する。
【００８０】
さらに、周側面に解除部材３００を設けた構成とすることにより、本実施の形態に係る電気機器１にあっては、フロントユニット１００のフロントカバーおよびリアケースの前面側に従来のように係合機構を設ける必要がなくなるので、当該係合機構の制約を受けることなく、電気機器１のうちパネル５００の前方に位置する部位を薄型化することができる。
【００８１】
また、リアケース２１０の周側面に組み付けられた解除部材３００をスライド移動させることにより、フロントユニット１００を所定の距離だけリアケース２１０から突出させることもできる。これにより、従来と比較して、フロントユニットを引き抜く作業を容易に行うことができため、メンテナンス効率をさらに向上させることもできる。
【００８２】
また、解除部材３００の押動部３３０によって内部構成品を同時に押し出す構成とすることにより、解除部材３００に負荷した力を容易に内部構成品に伝達することができ、フロントユニットの重量が増加した場合であっても、取り外しの際に容易にフロントユニットを突出させることもできる。
【００８３】
なお、本実施の形態においては、解除部材３００がリアケース２１０の上面および底面に組み付けられる場合を例示して説明したが、これに限定されず、リアケース２１０の右側面および左側面に組み付けられていてもよいし、リアケース２１０の周側面のいずれかのみに組み付けられていてもよい。
【００８４】
また、本実施の形態においては、解除部材３００に付勢部３２０を設けた構成を例示して説明したがこれに限定されず、付勢部３２０が設けられていなくてもよい。この場合には、作業者が取り外し後に、解除部材３００を所定の位置に戻せばよい。
【００８５】
（実施の形態２）
図２２は、本実施の形態に係る電気機器の右前方概略斜視図である。図２３は、本実施の形態に係る電気機器の右後方概略斜視図である。図２４は、図２２に示すＸＸＩＶ−ＸＸＩＶ線に沿った断面図である。図２５は、図２２に示すＸＸＶ−ＸＸＶ線に沿った断面図である。図２６は、図２２に示すＸＸＶＩ−ＸＸＶＩ線に沿った断面図である。図２２ないし図２６を参照して、本実施の形態に係る電気機器１Ａについて説明する。
【００８６】
図２２ないし図２６に示すように、本実施の形態に係る電気機器１Ａは、実施の形態１に係る電気機器１と比較した場合に、解除部材４００の構成が主として相違し、これに伴いフロントユニット１００Ａをリアユニット２００Ａから取り外す際の動作が相違する。なお、図２２ないし図２６においては、リアケース２１０の開口枠部の図示を省略しているが、開口枠部の構成は、実施の形態１と同様の構成である。これにより、実施の形態１同様にパネルに固定することができる。
【００８７】
本実施の形態に係る電気機器１Ａは、フロントユニット１００Ａおよびリアユニット２００Ａを備える。フロントユニット１００Ａは、上述の実施の形態１に係る電気機器１のフロントユニット１００と比較した場合に、フロントカバー１１０に結合される回路基板１５０（図２３参照）の枚数が相違する。フロントカバー１１０の左右の両端側にそれぞれ回路基板１５０が結合されており、これら２枚の回路基板１５０は、各回路基板１５０の周端面のうち上面が舌片部２２０と対向するように配置されている（図２４、図２５参照）。
【００８８】
また、回路基板１５０には、周端面に第２係合部としての係合部１５４と、凹部１５５とが形成されている（図２５参照）。係合部１５４は、フロントユニット１００Ａの取付状態において、後述する第１係合部としての係合部２２２に係合する。また、係合部１５４は、リアケース２１０の内周側面に向けて突出する突出形状を有する。さらに、係合部１５４は、その前面において第１突き当たり面としての係合面１５４ａを有する。
【００８９】
さらに、凹部１５５が形成されることにより、回路基板１５０の周端面には、後述する押動部４４０によって押動される被押動部１５６が形成される。被押動部１５６は、第２突き当たり面としての被押動面１５６ｂを有する。
【００９０】
リアユニット２００Ａは、リアケース２１０および解除部材４００を含む。リアケース２１０は、その周側面のうち上面に設けられた一対の舌片部２２０と、一対の軸受部２６０と、収容空間２１４に連通するように上面に形成された開口部２７０を有する。
【００９１】
舌片部２２０は、片持ち梁構造を有する当接部としてのアーム部２２１と、アーム部２２１の自由端から収容空間２１４に向けて突出する係合部２２２とを含む。一対の軸受部２６０は、フロントユニット１００Ａのリアユニット２００Ａに対する移動方向（前後方向）に対して交差する方向（左右方向に）に沿って並んで配置されている。軸受部２６０は、内側面から外側面に亘って（左右方向に）貫通しており、上方に開口している。これにより、軸受部２６０は、後述する解除部材４００を回動可能に支承することができる。開口部２７０は、１対の舌片部２２０の間において、解除部材４００を受け入れ可能に構成されている。
【００９２】
解除部材４００は、たとえば射出成形品によって構成される。解除部材４００は、第１支持軸４１０、第２支持軸４２０、係合解除部としてのカム部４３０、押動部４４０および取っ手部４５０を有する。第１支持軸４１０は、円柱形状であり、その両端に位置する第２支持軸４２０よりもその径が大きくなるように構成されている。第２支持軸４２０は、第１支持軸４１０の両端面の略中央部からそれぞれ外側へ延設され、円柱形状を有する。第２支持軸４２０は、軸受部２６０に回転可能に支承される。これにより、解除部材４００は、第１支持軸４１０および第２支持軸４２０の延在方向（フロントユニット１００Ａのリアユニット２００Ａに対する移動方向に対して交差する方向）を回転軸として、回動可能にリアケース２１０に組み付けられる。
【００９３】
カム部４３０は、各第２支持軸４２０の外側端面から外側へ延設され、その径が第２支持軸４２０よりも大きくなるように構成されている。また、カム部４３０は、略楕円板形状を有し、その外周面が舌片部２２０のアーム部２２１に当接するように構成されている。これにより、カム部４３０が回転することにより、アーム部２２１が変位する。
【００９４】
押動部４４０は、カム部４３０の端面から外側へ延設され、フロントユニット１００Ａの取付状態において、被押動部１５６の後方に位置するように構成されている。
【００９５】
取っ手部４５０は、第１支持軸４１０から前方に向けて延設されており、平面部４５１と、平面部４５１および第１支持軸４１０とを接続する接続部４５２を有する。接続部４５２は、第１支持軸４１０の周側面の両端から略Ｌ字状に形成されている。また、フロントユニット１００Ａの取り外しの際に上方から作業者が指を挿入できるように、平面部４５１と第１支持軸４１０の間には隙間４６０（図２３参照）が形成されている。
【００９６】
ここで、図２５は、フロントユニット１００Ａが取り付けられた状態を示す図であるが、これを参照して、フロントユニット１００Ａを取り付ける際の動作について説明する。
【００９７】
図２５に示すように、フロントユニット１００Ａを取り付ける際には、実施の形態１に係る取付けと同様に、フロントユニット１００Ａが、回路基板１５０側からリアユニット２００Ａに挿入される。ここで、回路基板１５０の係合部１５４には、その背面１５４ｂに係合部２２２の前面２２２ａの傾斜面に対応する傾斜面が形成されており、係合部１５４は、係合部２２２の前面２２２ａと摺動可能に構成されている。これにより、係合部１５４が、係合部２２２が外側へ退避するようにアーム部２２１を撓み変形させつつ、フロントユニット１００Ａがリアユニット２００Ａに挿入される。
【００９８】
フロントユニット１００Ａの挿入が完了された際には、係合部２２２が回路基板１５０の係合部１５４の前方側に嵌り込む。この際、撓み変形したアーム部２２１が元の状態に復帰することで、係合部２２２の背面と第１突き当たり面としての係合面１５４ａとが当接する。これにより、第１係合部としての係合部２２２と第２係合部としての係合部１５４が係合した状態となり、係合部２２２は、回路基板１５０を係止する。この結果、回路基板１５０とリアユニット２００Ａとの強固な固定が維持され、フロントユニット１００Ａがリアユニット２００Ａに対して取付けられる。
【００９９】
図２７は、本実施の形態に係る電気機器から解除部材を用いてフロントユニットを取り外す第１段階の状態を示す右前方概略斜視図である。図２８は、図２７に示すＸＸＶＩＩＩ−ＸＸＶＩＩＩ線に沿った断面図である。図２９は、図２７に示すＸＸＩＸ−ＸＸＩＸ線に沿った断面図である。図２７ないし図２９を参照して、フロントユニット１００Ａをリアユニット２００Ａから取り外す際の第１段階の状態およびその動作について説明する。
【０１００】
まず、図２７に示すように、作業者は、取っ手部４５０を片手で把持し、ＤＲ２方向に移動させる。この際、取っ手部４５０は上述のように第１支持軸４１０から延設されていることから、取っ手部４５０は、第１支持軸４１０および第２支持軸４２０を回転軸として前方から後方にかけて回動する。これに伴い、第１支持軸４１０および第２支持軸４２０もＤＲ２方向に回転し、第２支持軸４２０に連設されるカム部４３０および押動部４４０もＤＲ２方向に回動する。
【０１０１】
たとえば、図２７ないし図２９に示すように、取っ手部４５０が鉛直上方に向く場合にあっては、カム部４３０の回動により、舌片部２２０のアーム部２２１が撓み変形して上方に変位する。これにより、舌片部２２０の係合部２２２が上方に移動し、係合部２２２と回路基板１５０の係合部１５４との係合が解除される。また、この際、図２８に示すように、押動部４４０は、被押動部１５６の被押動面１５６ｂに当接する。
【０１０２】
図３０は、本実施の形態に係る電気機器から解除部材を用いてフロントユニットを取り外す第２段階の状態を示す右前方概略斜視図である。図３１は、図３０に示すＸＸＸＩ−ＸＸＸＩ線に沿った断面図である。図３２は、図３０に示すＸＸＸＩＩ−ＸＸＸＩＩ線に沿った断面図である。図３０ないし図３２を参照して、フロントユニット１００Ａをリアユニット２００Ａから取り外す際の第２段階の状態およびその動作について説明する。
【０１０３】
図３０および図３２に示すように、解除部材４００がさらに後方側に回動した場合には、フロントユニット１００Ａがリアユニット２００Ａから前方に突出する。フロントユニット１００Ａがリアユニット２００Ａから突出する際にあっては、図２９に示すように、解除部材４００の押動部４４０が、カム部４３０の回動に連動して被押動部１５６を前方へ向けて押動する。これにより、回路基板１５０とこれに結合されるフロントカバー１１０が一体となって、リアユニット２００から突出することとなる。また、フロントユニット００Ａが突出した後に、取っ手部４５０を手放すことにより、解除部材４００は、自重により元の位置に復帰する。
【０１０４】
以上のような構成とすることにより、本実施の形態に係る電気機器１Ａにあっても実施の形態１に係る電気機器１とほぼ同様の効果が得られる。特に、解除部材４００を回動可能に構成することにより、舌片部２２０に過度な荷重がかからないため耐久性が向上する。
【０１０５】
なお、本実施の形態においては、解除部材４００がリアケース２１０の上面側に組み付けられる場合を例示して説明したが、これに限定されず、リアケース２１０の周側面のいずれかにのみ組み付けられてもよい。
【０１０６】
また、本実施の形態においては、解除部材４００に付勢部材が設けられていない場合を例示して説明したがこれに限定されず、解除部材４００の回動方向と逆方向に解除部材４００を付勢する付勢部材（不図示）が設けられていてもよい。
【０１０７】
上述した実施の形態１および２においては、解除部材３００および解除部材４００が、前方に移動する場合および左右方向を回転軸として前方から後方にかけて回動する場合を例示して説明したが、これに限定されない。たとえば、実施の形態１においては、回転運動を前方に向かう移動運動に変換する部位が解除部材３００に設けられ、解除部材３００がその組み付けられたリアケースの周側面に対して水平に回動することにより、フロントユニット１００が押動される構成としてもよい。また、実施の形態２においては、例示した回転方向と逆方向に回転させることにより、フロントユニット１００Ａが押動される構成としてもよい。
【０１０８】
また、上述した実施の形態１および２においては、第１係合部としての係合部２２２が収容空間２１４に向かう爪状形状を有し、第１係合部と係合する第２係合部としての係合部が、実施の形態１においては、凹部形状を有し、実施の形態２においては、突出形状を有する場合を例示して説明したが、これに限定されず、本発明の趣旨を逸脱しない範囲内において適宜変更することが可能である。また、各係合部の配置についても、形状同様に、本発明の趣旨を逸脱しない範囲内において適宜変更することが可能である。
【０１０９】
また、上述した実施の形態１および２においては、第２係合部および被押動部が設けられた内部構成品が回路基板１５０である場合を例示して説明したが、これに限定されず、収容空間に収容されるその他の各種機器であってもよい。
【０１１０】
また、上述した実施の形態１および２においては、電気機器のフロントカバー、リアカバーおよび解除部材を樹脂製とした場合を例示して説明を行なったが、これらの材質は特に限定されるものではなく、適宜その変更が可能である。
【０１１１】
また、上述した実施の形態１および２においては、リアケース２１０の開口枠部の外形は、リアケース２１０の本体部２１２の外形よりも大きく、パネル後方から固定具を用いてパネルが開口枠部との間に挟まれることにより、リアユニット２００がパネルに固定される場合を例示して説明したが、これに限定されず、他の固定手段を用いてリアユニットをパネルに固定できる限り、リアケース２１０の開口枠部の外形が本体部２１２の外形と同じであってもよいし、リアケース２１０の開口枠部の外形が本体部２１２の外形よりも小さくてもよい。
【０１１２】
また、上述した実施の形態１および２においては、本発明が適用された電気機器として、いわゆる電子温度調節器を例示して説明を行なったが、本発明の適用範囲は、当然にこれらに限定されるものではなく、パネル固定型の電気機器であれば、どのようなものにもその適用が可能である。
【０１１３】
以上、本発明の実施の形態について説明したが、今回開示された実施の形態はすべての点で例示であって制限的なものではない。本発明の範囲は特許請求の範囲によって示され、特許請求の範囲と均等の意味および範囲内でのすべての変更が含まれる。
【符号の説明】
【０１１４】
１  電気機器、１００，１００Ａ  フロントユニット、１１０  フロントカバー、１１１  カバー部、１１２  回路基板保持部、１１３  段差面、１２０  透明カバー、１３０  表示部、１４０  操作部、１５０  回路基板、１５１，１５３  凹部、１５２，１５６  被押動部、１５４  係合部、２００，２００Ａ  リアユニット、２１０  リアケース、２１１  開口枠部、２１２  本体部、２１３  段差面、２１４  収容空間、２１５  接続端子、２２０  舌片部、２２１  アーム部、２２２  係合部、２２３  突出部、２３０  組み付け孔、２４０  載置部、２５０，２７０  開口部、２６０  軸受部、３００  解除部材、３１０  本体部、３２０  付勢部、３３０  押動部、３４０  係合解除部、３５０  係合部、４００  解除部材、４１０  第１支持軸、４２０  第２支持軸、４３０  カム部、４４０  押動部、４５０  取っ手部、４５１  平面部、４５２  接続部、５００  パネル。
【図１】
2014179499.tif 000003
【図２】
2014179499.tif 000004
【図３】
2014179499.tif 000005
【図４】
2014179499.tif 000006
【図５】
2014179499.tif 000007
【図６】
2014179499.tif 000008
【図７】
2014179499.tif 000009
【図８】
2014179499.tif 000010
【図９】
2014179499.tif 000011
【図１０】
2014179499.tif 000012
【図１１】
2014179499.tif 000013
【図１２】
2014179499.tif 000014
【図１３】
2014179499.tif 000015
【図１４】
2014179499.tif 000016
【図１５】
2014179499.tif 000017
【図１６】
2014179499.tif 000018
【図１７】
2014179499.tif 000019
【図１８】
2014179499.tif 000020
【図１９】
2014179499.tif 000021
【図２０】
2014179499.tif 000022
【図２１】
2014179499.tif 000023
【図２２】
2014179499.tif 000024
【図２３】
2014179499.tif 000025
【図２４】
2014179499.tif 000026
【図２５】
2014179499.tif 000027
【図２６】
2014179499.tif 000028
【図２７】
2014179499.tif 000029
【図２８】
2014179499.tif 000030
【図２９】
2014179499.tif 000031
【図３０】
2014179499.tif 000032
【図３１】
2014179499.tif 000033
【図３２】
2014179499.tif 000034